(57)【要約】 【課題】  容器に充填された飲料水を氷結させた固形飲料、或いは充填後の前記飲料水をゼリー状に半固形化させた半固形飲料を、そのままの形状で取り出すことのできる包装容器の提供である。【解決手段】  充填した飲料水を氷結させた固形飲料、又は前記飲料水をゼリー状に半固形化させた半固形飲料を包装するための破断可能な樹脂製の包装容器であって、切割部２で二分割可能な容器本体Ｍ11と、該容器本体Ｍ11の各分割予定部１にそれぞれ一体に連結された一対の切割操作片Ｓ1 とを備え、前記一対の切割操作片Ｓ1 を互いに離間する方向に引っ張って、前記容器本体Ｍ11を切割部２で二分割することにより、内部の固形飲料等をそのままの形状で取り出し可能にする。【選択図】        図８
2005280769.tif 000002
【特許請求の範囲】
【請求項１】
充填した飲料水を氷結させた固形飲料、又は前記飲料水をゼリー状に半固形化させた半固形飲料を包装するための破断可能な樹脂製の包装容器であって、
切割部で二分割可能な容器本体と、該容器本体の各分割予定部にそれぞれ一体に連結された一対の切割操作片とを備え、
前記一対の切割操作片を互いに離間する方向に引っ張って、前記容器本体を切割部で切り割って二分割することにより、内部の固形飲料等をそのままの形状で取り出し可能にした固形飲料等の包装容器。
【請求項２】
一対の切割操作片は、正面視において、容器本体の切割部の仮想延長線に対して略対称となるように近接して配置されていることを特徴とする請求項１に記載の固形飲料等の包装容器。
【請求項３】
一対の切割操作片は、薄肉の連結部を介して一体に連結されていることを特徴とする請求項２に記載の固形飲料等の包装容器。
【請求項４】
一対の切割操作片は、その内部に略円形の除去予定部が薄肉の連結部を介して連結され、容器本体の切割り時には、前記除去予定部を除去して、指先を挿入可能なリング形状となる構成であることを特徴とする請求項１ないし３のいずれかに記載の固形飲料等の包装容器。
【請求項５】
容器本体は略球形であって、その中心を通る仮想平面との交線である大円に切割部が連続して形成され、一対の切割操作片は、前記平面と略直交して容器本体の各分割予定部にそれぞれ連結されていることを特徴とする請求項１ないし４のいずれかに記載の固形飲料等の包装容器。
【発明の詳細な説明】
【技術分野】
【０００１】
本発明は、充填した飲料水を氷結させた固形飲料、又は前記飲料水をゼリー状に半固形化させた半固形飲料を包装するための破断可能な樹脂製の包装容器に関するものである。
【背景技術】
【０００２】
例えば、ジュース等の清涼飲料水を充填して包装する容器としては、特許文献１，同２に記載のものが知られている。これらは、いずれも樹脂製であって、飲料水を充填した後に充填口を封緘して密閉させており、飲料水を飲む場合には、樹脂製の容器の前記充填口の部分をハサミ類で切断するか、或いは喰い千切る等して開口させている。
【０００３】
また、上記した清涼飲料水は、そのまま氷結させて冷たい固形飲料として飲む場合もある。この場合も、液体状のままの場合と全く同様にして、容器の前記充填口の部分を、固形飲料の一部が露出させるべく切断、又は喰い千切って大きく開口させ、しゃぶることにより溶かして飲んでいる。いずれにしても、従来の樹脂製の容器に充填・包装された固形飲料は、そのままの形状で容器から取り出すことは困難であり、一方の手で容器を掴んだ状態で、固形飲料を溶かしながら飲んでいるのが実情である。
【０００４】
一般家庭においては、容器に充填された飲料水を氷結させた固形飲料、或いは前記飲料水をゼリー状にした半固形飲料を、そのままの形状で包装容器から取り出して、別の容器等に移して飲みたいという需要は多く存在する。
【特許文献１】特開２０００−８５８７７号公報
【特許文献２】特開２０００−９７４３３号公報
【発明の開示】
【発明が解決しようとする課題】
【０００５】
本発明の課題は、上記した事情に基づき、容器に充填された飲料水を氷結させた固形飲料、或いは前記飲料水をゼリー状に半固形化させた半固形飲料を、そのままの形状で取り出すことのできる包装容器の提供である。
【課題を解決するための手段】
【０００６】
上記の課題を解決するための請求項１の発明は、充填した飲料水を氷結させた固形飲料、又は前記飲料水をゼリー状に半固形化させた半固形飲料を包装するための破断可能な樹脂製の包装容器であって、切割部で二分割可能な容器本体と、該容器本体の各分割予定部にそれぞれ一体に連結された一対の切割操作片とを備えていることを特徴としている。請求項１の発明によれば、前記一対の切割操作片を互いに離間する方向に引っ張ると、前記容器本体は、その最も弱い部分である切割部で破断されて二つに切り割られるため、内部の固形飲料等をそのままの形状で取り出すことができる。
【０００７】
また、請求項２の発明は請求項１の発明において、一対の切割操作片は、正面視において、容器本体の切割部の仮想延長線に対して略対称となるように近接して配置されていることを特徴としている。この構成により、一対の切割操作片を互いに反対の方向に引っ張ると、この引張り力は、容器本体の切割部を破断するのに最も有効に作用するので、容器本体を切割部で容易に切り割って二分割できる。
【０００８】
また、請求項３の発明は、請求項２の発明において、一対の切割操作片は、薄肉の連結部を介して一体に連結されていることを特徴としている。この構成により、包装容器に飲料水が充填・包装されて流通する場合に、一対の切割操作片が一体に連結されたままであって分離されていないので、流通途中において切割操作片が周辺の物品類に引っ掛かって、容器本体が不用意に切り割られて不良品となるのを防止できる。
【０００９】
また、請求項４の発明は、請求項１ないし３のいずれかの発明において、一対の切割操作片は、その内部に略円形の除去予定部が薄肉の連結部を介して連結され、容器本体の切割時には、前記除去予定部を除去して、指先を挿入可能なリング形状となる構成であることを特徴としている。この構成により、切割時においてのみ、切割操作片の内部の除去予定部を切除して切割操作片をリング形状にし、リング形状となった各切割操作片に両手の指先を挿入して引っ張ると、容器本体に対して安定した切割力が作用させられる。このため、容器本体を簡単に切り割ることができると共に、流通時においては、他の物品類が切割操作片に引っ掛かるのを防止して、容器本体が不用意に切り割られて不良品となるのを防止できる。
【００１０】
また、請求項５の発明は、請求項１ないし４のいずれかの発明において、容器本体は略球形であって、その中心を通る仮想平面との交線である大円に連続した切割部が形成され、一対の切割操作片は、前記大円を形成する円と略直交して容器本体に連結されていることを特徴としている。容器本体が球形の場合には、その切り割りが最も難しいのであるが、上記構成によって、一対の切割操作片を互いに反対の方向に引っ張ると、球形の容器本体の切割部に、各切割操作片に作用する引張力が切割力として最も有効に作用する。このため、球形の固形又は半固形の飲料をそのままの形状で簡単に取り出すことができる。
【発明の効果】
【００１１】
本発明に係る包装容器によれば、一対の切割操作片を相互に離間する方向に引っ張ると、容易本体は切割部で切り割られて二分割されるので、包装されている固形又は半固形の飲料を、そのままの形状で簡単かつ確実に取り出すことができる。
【発明を実施するための最良の形態】
【００１２】
以下、本発明の最良の実施例を複数挙げて、本発明を更に詳細に説明する。
【実施例１】
【００１３】
図１は、本発明に係る包装容器Ｖ1 の非包装状態の斜視図であり、図２は、同じく正面図であり、図３及び図４は、それぞれ図２のＸ−Ｘ線及びＹ−Ｙ線の断面図（端面図）であり、図５は、包装容器Ｖ1 をブロー成形する際の切割部２の部分の拡大断面図である。
【００１４】
図１，図２及び図５において、包装容器Ｖ1 は、チューブ状に予備成形された原料樹脂Ｒを一対の分割金型Ｋの内部に吊り下げて配置した状態で、チューブ状をした前記原料樹脂Ｒの内部に空気を吹き込んで金型Ｋの内周面である成形面３１に密着させることにより、金型Ｋの内周面形状に形成するブロー成形（中空成形）により成形される。包装容器Ｖ1 は、ポリエチレンによりブロー成形されて、球状をした容器本体Ｍ11と、該容器本体Ｍ11の各分割予定部１に一体に連結された一対の切割操作片Ｓ1 と、前記容器本体Ｍ11における一対の切割操作片Ｓ1 と反対の部分に一体に連結された充填筒部Ｔ1 との三つの部分で構成される。球状をした容器本体Ｍ11には、その中心Ｃを通る仮想平面Ｈ（図１参照）との交線である大円における充填筒部Ｔ1 との接続部の近辺を除く全ての部分に、断面略Ｖ字状となって内方に折り畳まれた形状であって、後述の方法により成形される切割部２が連続して設けられている。断面略Ｖ字状をした前記切割部２は、図３に示されるように、他の部分よりも僅かに薄肉に形成されていて、容器本体Ｍ11は、前記切割部２で二つに切り割られるために、容器本体Ｍ11における切割部２で二分された部分は、分割予定部１となっている。なお、図１及び図３において、Ｌ1 は、容器本体Ｍ11が二つに切り割られる「切割ライン」を示し、図１において、Ｌ2 は、ブロー成形時に一対の分割金型Ｋの密着部により形成される「分離ライン（パーツライン）」を示す。切割ラインＬ1 と分離ラインＬ2 とは、球状の容器本体Ｍ11において位相が９０°離れている。
【００１５】
ここで、図５に示されるように、包装容器Ｖ1 をブロー成形するための略半球状の成形面３１を有する各分割金型Ｋの切割部２を成形する部分には、前記大円に沿って突起部３２が連続して形成されている。このため、容器本体Ｍ11を成形するための中空球状となった樹脂原料Ｒは、内部に作用するエアーの吹付け圧力Ｐによって分割金型Ｋの内周の成形面３１に押し付けられると共に、前記突起部３２においては、その全外周に引き延ばされた状態で押し付けられる。このため、容器本体Ｍ11の切割部２は、他の部分よりも薄肉に成形されて、容器本体Ｍ11における最も弱い部分となって破断され易くなる。そして、容器本体Ｍ11の肉厚設計の観点からは、切割部２の部分が最小強度となるために、当該切割部２の強度を基準にして、当該切割部２が必要強度を有するように設計される。
【００１６】
また、図１ないし図４に示されるように、一対の切割操作片Ｓ1 は、容器本体Ｍ11の各分割予定部１の外周面に、該容器本体Ｍ11の切割部２を大円とする前記仮想平面Ｈと略直交した状態となって、第１連結部３を介してそれぞれ一体に連結されていると共に、各切割操作片Ｓ1 は、前記仮想平面Ｈと交差する部分において薄肉の第２連結部４を介して連結されている。容器本体Ｍ11と各切割操作片Ｓ1 とを連結する第１連結部３は、一対の切割操作片Ｓ1 を互いに離間するように引っ張って、容器本体Ｍ11を切割部２で二つに切り割る際に、当該第１連結部３が破断されるのを防止すべく、容器本体Ｍ11の肉厚と同等になっている。また、薄肉の第２連結部４の容器本体Ｍ11の側の部分は、容器本体Ｍ11を二つに切り割るための切割部２に接続されている。一対の切割操作片Ｓ1 は、前記仮想平面Ｈに対して対称形状となっていて、他の部分よりも僅かに厚肉のリング部５の内側に薄肉の第３連結部６を介して円板状の除去予定部７が除去可能に連結されていて、切割操作片Ｓ1 の容器本体Ｍ11との連結部と反対の部分は、前記リング部５により形成されている。
【００１７】
また、各切割操作片Ｓ1 の外縁は、正面視において容器本体Ｍ11の両側縁よりも僅かに内側において充填筒部Ｔ1 と略平行に形成されている。切割操作片Ｓ1 のリング部５及び除去予定部７を除いた残りの部分は、前記除去予定部７と略同一肉厚となっていて、切割操作時に破断されない強度を確保してある。このため、図２に示されるように、第２連結部４を介して内側で連結された一対の切割操作片Ｓ1 を互い離間する方向に引張力Ｆで引っ張ると、最初に薄肉の前記第２連結部４が破断されて、一対の切割操作片Ｓ1 が左右に分離されるのに応じて、容器本体Ｍ11の切割部２が切割操作片Ｓ1 の側から順次破断されることとなる。
【００１８】
また、充填筒部Ｔ1 は、容器本体Ｍ11における切割部２が存在する大円上であって、しかも切割操作片Ｓ1 に対して位相が１８０°異なる反対側の部分に前記仮想平面Ｈと平行となって連結されている。充填筒部Ｔ1 の途中には、容器本体Ｍ11に対して飲料水等を充填する際に、包装容器Ｖ1 を搬送支持部材（図示せず）に首吊り状態で支持して搬送可能にするためのリング状の首吊り支持部１１が形成されており、その先端部（上端部）には、包装容器Ｖ1 の状態で流通される際に、容器本体Ｍ11内にゴミ類が侵入するのを防止する封緘部１２が形成されている。
【００１９】
次に、上記した包装容器Ｖ1 に、例えばジュース等の清涼飲料水を充填した状態で販売して、最終需要者が前記清涼飲料水を氷結させて固形飲料とし、この氷結した固形飲料を、球状のまま容器本体Ｍ11から取り出して飲用する場合について説明する。まず、包装容器Ｖ1 の充填筒部Ｔ1 の封緘部１２を切除して、工場において容器本体Ｍ11に清涼飲料水を充填した後に、充填筒部Ｔ1 の先端開口を加熱処理により閉塞した状態で販売される（図６〜図８において、１３は閉塞部を示す）。
【００２０】
そして、最終需要者は、家庭の冷蔵庫等により容器本体Ｍ11に充填された清涼飲料水を氷結させて飲用する。図６は、容器本体Ｍ11に充填された清涼飲料水が氷結された状態の斜視図である。容器本体Ｍ11の内方に略Ｖ字状となって喰い込んでいた切割部２は、氷結による体積増大のために、図３で２点鎖線及び図６に示されるように、切割部２における切割操作片Ｓ1 と充填筒部Ｔ1 との中間部においては、表面に近い部分まで臨んだ状態となる。そして、一対の切割操作片Ｓ1 のリング部５の内側に形成された円板状の除去予定部７を指先で強く押し抜いて除去すると、図７に示されるように、一対の切割操作片Ｓ1 には、指挿入孔８が形成される。各切割操作片Ｓ1 の指挿入孔８に両手の指先を挿入して、一対の切割操作片Ｓ1 が互いに離間する方向に引っ張ると、一対の切割操作片Ｓ1 を連結している薄肉の第３連結部６が破断された後に、一対の切割操作片Ｓ1 が離間されるに応じて、容器本体Ｍ11の最も弱い部分である切割部２が切割操作片Ｓ1 の側から順次破断される。そして、図８に示されるように、切割部２のほぼ全部が破断されると、容器本体Ｍ11の各分割予定部１は、それぞれ分割された分割部１’となって、容器本体Ｍ11に収容されていた固形飲料Ｄ1 は、元の球状のままで容器本体Ｍ11から取り出される。なお、図８において、２’は、破断された切割部を示す。
【００２１】
また、上記実施例は、容器本体Ｍ11が切割りの最も難しい球状のものであるために、切割りの効果が最も大きいが、容器本体の形状は、楕円球状、各コーナー部が球面状に大きく面取りされた変則立方体状等のような他の形状であっても実施可能である。また、例えば、図９に示されるように、１ないし複数の突出部９を有するような動物を模した形状の容器本体Ｍ12であっても、切割りできる。
【実施例２】
【００２２】
図１０（イ），（ロ）は、それぞれ容器本体Ｍ2 を切割る前後における包装容器Ｖ2 の正面図である。包装容器Ｖ2 は、角筒状をした容器本体Ｍ2 と、該容器本体Ｍ2 の主従の各分割予定部２１，２２にそれぞれ連結された一対の切割操作片Ｓ2 と、前記容器本体Ｍ2 における切割操作片Ｓ2 と反対の側の端部に連続して形成された充填筒部Ｔ2 とで構成される。容器本体Ｍ2 は、前記容器本体Ｍ1 と異なって、同一の大きさに二分割されるものではなく、容器本体Ｍ2 の大部分を占める主分割予定部２１と従分割予定部２２とで構成されて、主分割予定部２１に対して従分割予定部２２が「蓋」のように機能して切り割られる構成である。主従の各分割予定部２１，２２は、切割部２３を介して連結されており、前記切割部２３は、容器本体Ｍ2 の横断面における全周の一部には、設けられておらず、この切割部２３が設けられていない部分が「蓋」のように機能する従分割予定部２２が主分割予定部２１に対して開く際の支点部２４として機能する。
【００２３】
主従の各分割予定部２１，２２における前記支点部２４と反対の部分には、それぞれ切割操作片Ｓ2 が連結されていて、各切割操作片Ｓ2 も薄肉部２５を介して連結されている。よって、主分割予定部２１を掴んでいる側の手の指先で自身の切割操作片Ｓ2 を掴んだ状態で、他方の手の指先で従分割予定部２２の切割操作片Ｓ2 を掴んで、引張力Ｆを作用させると、前記薄肉部２５が破断された後に、切割部２３が順次破断されることにより、図１０（ロ）に示されるように、容器本体Ｍ2 の主分割予定部２１に対して従分割予定部２２が「蓋」のように開いて、氷結した固形飲料Ｄ2 の一部がそのままの形状で露出する。そして、主分割予定部２１に収容されている固形飲料Ｄ2 の残りの部分を引き出すと、固形飲料Ｄ2 は、そのままの形状を保って外部に取り出される。
【００２４】
また、本発明の包装容器には、清涼飲料水等の飲料水を氷結させて固形飲料にしたものに限られず、飲料水を氷結させることによりゼリー状に半固形化された半固形飲料であっても、そのままの形状で包装容器から取り出すことが可能である。
【００２５】
更に、本発明の包装容器の他の用途として、実施例１のような球状の容器本体を有するものにおいて、水を充填しておいて、これを取り出すことにより一般には成形の難しい球状の氷を簡単に作れる利点もある。
【図面の簡単な説明】
【００２６】
【図１】本発明に係る包装容器Ｖ1 の非包装状態の斜視図である。
【図２】同じく正面図である。
【図３】図２のＸ−Ｘ線断面図（端面図）である。
【図４】図２のＹ−Ｙ線の断面図（端面図）である。
【図５】包装容器Ｖ1 をブロー成形する際の切割部２の部分の拡大断面図である。
【図６】容器本体Ｍ11に充填された清涼飲料水が氷結された状態の斜視図である。
【図７】容器本体Ｍ11に充填された清涼飲料水を氷結させた固形飲料Ｄ1 の取出し開始時の斜視図である。
【図８】同じく取り出された状態の斜視図である。
【図９】本発明に係る包装容器の容器本体Ｍ12の横断面図である。
【図１０】（イ），（ロ）は、それぞれ容器本体Ｍ2 を切割る前後における包装容器Ｖ2 の正面図である。
【符号の説明】
【００２７】
Ｄ1 ，Ｄ2 ：固形飲料
Ｆ：引張力
Ｈ：球状の容器本体の中心を通る仮想平面
Ｌ1 ：切割ライン
Ｍ11，Ｍ12，Ｍ2 ：容器本体
Ｓ1 ，Ｓ2 ：切割操作片
Ｖ1 ，Ｖ2 ：包装容器
１：分割予定部
２，２３：切割部
７：除去予定部
８：指挿入孔
２１：主分割予定部
２２：従分割予定部
【図１】
2005280769.tif 000003
【図２】
2005280769.tif 000004
【図３】
2005280769.tif 000005
【図４】
2005280769.tif 000006
【図５】
2005280769.tif 000007
【図６】
2005280769.tif 000008
【図７】
2005280769.tif 000009
【図８】
2005280769.tif 000010
【図９】
2005280769.tif 000011
【図１０】
2005280769.tif 000012